【手続補正書】
【提出日】平成25年3月25日(2013.3.25)
【手続補正１】
【補正対象書類名】特許請求の範囲
【補正対象項目名】全文
【補正方法】変更
【補正の内容】
【特許請求の範囲】
【請求項１】
ａ．臭化リチウム：
ｂ．水：および
ｃ．少なくとも１つのカチオンと少なくとも１つのアニオンとを含む少なくとも１つのイオン化合物であって、カチオンが；
ナトリウム、カリウム、セシウム、以下の式のカチオン、
【化１】
2012522873.tif 000001
［式中、Ｒ１、Ｒ２、Ｒ３、Ｒ４、Ｒ５、およびＲ６は：
（ｉ）Ｈ、
（ii）ハロゲン、
（iii）−ＣＨ３、−Ｃ２Ｈ５またはＣ３〜Ｃ２５直鎖状、分枝状または環式の、アルカンまたはアルケン；
（iv）Ｏ、Ｎ、ＳｉおよびＳからなる群から選択される１〜３個のヘテロ原子を含む−ＣＨ３、−Ｃ２Ｈ５またはＣ３〜Ｃ２５直鎖状、分枝状または環式の、アルカンまたはアルケン；
（ｖ）Ｃ６〜Ｃ２０非置換アリール、またはＯ、Ｎ、ＳｉおよびＳからなる群から独立して選択される１〜３個のヘテロ原子を有するＣ３〜Ｃ２５非置換ヘテロアリール；および
（vi）Ｃ６〜Ｃ２５置換アリール、またはＯ、Ｎ、ＳｉおよびＳからなる群から独立して選択される１〜３個のヘテロ原子を有するＣ３〜Ｃ２５置換ヘテロアリール
からなる群から独立して選択され；そして
ここで、置換アリールまたは置換ヘテロアリールは：
（１）場合によりＣｌ、Ｂｒ、Ｆ、Ｉ、ＯＨ、ＮＨ２およびＳＨからなる群から選択される少なくとも１つの構成員で置換される−ＣＨ３、−Ｃ２Ｈ５またはＣ３〜Ｃ２５直鎖状、分枝状または環式の、アルカンまたはアルケン、
（２）ＯＨ、
（３）ＮＨ２、および
（４）ＳＨ
からなる群から独立して選択される１〜３個の置換基を有し；
式中、Ｒ７、Ｒ８、Ｒ９、および、Ｒ１０は：
（ｉ）−ＣＨ３、−Ｃ２Ｈ５またはＣ３〜Ｃ２５直鎖状、分枝状または環式の、アルカンまたはアルケン；
（ii）Ｏ、Ｎ、ＳｉおよびＳからなる群から選択される１〜３個のヘテロ原子を含む−ＣＨ３、−Ｃ２Ｈ５またはＣ３〜Ｃ２５直鎖状、分枝状または環式の、アルカンまたはアルケン；
（iii）Ｃ６〜Ｃ２５非置換アリール、またはＯ、Ｎ、ＳｉおよびＳからなる群から独立して選択される１〜３個のヘテロ原子を有するＣ３〜Ｃ２５非置換ヘテロアリール；および
（iv）Ｃ６〜Ｃ２５置換アリール、またはＯ、Ｎ、ＳｉおよびＳからなる群から独立して選択される１〜３個のヘテロ原子を有するＣ３〜Ｃ２５置換ヘテロアリール
からなる群から独立して選択され； 
ここで、置換アリールまたは置換ヘテロアリールは：
（１）場合によりＣｌ、Ｂｒ、Ｆ、Ｉ、ＯＨ、ＮＨ２およびＳＨからなる群から選択される少なくとも１つの構成員で置換される−ＣＨ３、−Ｃ２Ｈ５、またはＣ３〜Ｃ２５直鎖状、分枝状または環式の、アルカンまたはアルケン、
（２）ＯＨ、
（３）ＮＨ２、および
（４）ＳＨ；
からなる群から独立して選択される１〜３個の置換基を有する］
およびこれらの混合物からなる群から選択され；そして
アニオンが；
（１）［ＨＣＯ２］−、［ＣＨ３ＣＯ２］−、［ＨＳＯ４］−、［ＣＨ３ＯＳＯ３］−、［Ｃ２Ｈ５ＯＳＯ３］−、［ＡｌＣｌ４］−、［ＣＯ３］２−、［ＨＣＯ３］−、［ＮＯ２］−、［ＳＯ４］２−、［ＰＯ３］３−、［ＨＰＯ３］２−、［Ｈ２ＰＯ３］１−、［ＰＯ４］３−、［ＨＰＯ４］２−、［Ｈ２ＰＯ４］−、［ＨＳＯ３］−、［ＣｕＣｌ２］−、Ｉ−、ＢＲ１Ｒ２Ｒ３Ｒ４、ＢＯＲ１ＯＲ２ＯＲ３ＯＲ４、アルキルまたは置換アルキルで場合により置換されるカルボレート（１−カルバドデカボレート（１−））；アルキルアミン、置換アルキルアミン、アルキルまたは置換アルキルで場合により置換されるカルボラン（ジカルバドデカボレート（１−））、
（２）［ＰＦ６］−、［ＳｂＦ６］−、［ＣＦ３ＳＯ３］−、［ＨＣＦ２ＣＦ２ＳＯ３］−、［ＣＦ３ＨＦＣＣＦ２ＳＯ３］−、［ＨＣＣｌＦＣＦ２ＳＯ３］−、［（ＣＦ３ＳＯ２）２Ｎ］−、［（ＣＦ３ＣＦ２ＳＯ２）２Ｎ］−、［（ＣＦ３ＳＯ２）３Ｃ］−、［ＣＦ３ＣＯ２］−、［ＣＦ３ＯＣＦＨＣＦ２ＳＯ３］−、［ＣＦ３ＣＦ２ＯＣＦＨＣＦ２ＳＯ３］−、［ＣＦ３ＣＦＨＯＣＦ２ＣＦ２ＳＯ３］−、［ＣＦ２ＨＣＦ２ＯＣＦ２ＣＦ２ＳＯ３］−、［ＣＦ２ＩＣＦ２ＯＣＦ２ＣＦ２ＳＯ３］−、［ＣＦ３ＣＦ２ＯＣＦ２ＣＦ２ＳＯ３］−、［（ＣＦ２ＨＣＦ２ＳＯ２）２Ｎ］−、［（ＣＦ３ＣＦＨＣＦ２ＳＯ２）２Ｎ］−、Ｆ−、およびこれらの混合物からなる群から選択される任意のフッ素化アニオン；および
（３）式：
【化２】
2012522873.tif 000002
［式中、Ｒ１１は：
（ｉ）−Ｈ、−ＣＨ３、−Ｃ２Ｈ５またはＣ３〜Ｃ１０直鎖状、分枝状または環式の、アルカンまたはアルケン；
（ii）Ｏ、Ｎ、ＳｉおよびＳからなる群から選択される１〜３個のヘテロ原子を含み、場合によりＣｌ、Ｂｒ、Ｆ、Ｉ、ＯＨ、ＮＨ２およびＳＨからなる群から選択される少なくとも１つの構成員で置換される−ＣＨ３、−Ｃ２Ｈ５またはＣ３〜Ｃ１０直鎖状、分枝状または環式の、アルカンまたはアルケン；
（iii）Ｃ６〜Ｃ１０非置換アリール、またはＯ、Ｎ、ＳｉおよびＳからなる群から独立して選択される１〜３個のヘテロ原子を有するＣ３〜Ｃ１０非置換ヘテロアリール；および
（iv）Ｃ６〜Ｃ１０置換アリール、またはＯ、Ｎ、ＳｉおよびＳからなる群から独立して選択される１〜３個のヘテロ原子を有するＣ３〜Ｃ１０置換ヘテロアリール；
からなる群から選択され、
ここで、置換アリールまたは置換ヘテロアリールは：
（１）−ＣＨ３、−Ｃ２Ｈ５またはＣ３〜Ｃ１０直鎖状、分枝状または環式の、アルカンまたはアルケン、
（２）ＯＨ、
（３）ＮＨ２、および
（４）ＳＨ
からなる群から独立して選択される１〜３個の置換基を有する］
およびこれらの混合物からなる群から選択される；
上記イオン性化合物：
を含む組成物。
【請求項２】
臭素の塩；アルカリ金属、ホスフェト、クロレート、ブロメート、ヨーデート、フェロシアニド、クロリドの塩；クラウンエーテル、モノカルボン酸、ポリカルボン酸、ジホスホン酸、ポリリン酸、ホスフェート；およびこれらの組み合わせからなる群から選択される、少なくとも１つの追加の化合物をさらに含む、請求項１に記載の組成物。
【請求項３】
水および臭化リチウムを含む冷媒流体における結晶化を制御する方法であって、請求項１にリストしたイオン化合物を冷媒流体に添加する工程を含む、上記方法。
【請求項４】
吸収器、ジェネレータ、コンデンサ、膨張装置、およびエバポレータを含んでなる吸収サイクル装置であって、コンデンサおよび吸収器が空冷式であり、作動流体が請求項１に記載の組成物を含む、上記装置。
【請求項５】
吸収式冷凍機または吸収ヒートポンプを含んでなる、請求項４に記載の吸収サイクル装置。
【請求項６】
臭化リチウム：
水：および
少なくとも１つのイオン化合物であって；
以下の式
【化３】
2012522873.tif 000003
【化４】
2012522873.tif 000004
【化５】
2012522873.tif 000005
［式中、Ｒ１、Ｒ２、Ｒ３、Ｒ４、Ｒ５、Ｒ６、Ｒ１２およびＲ１３は：
（ｉ）Ｈ、
（ii）ハロゲン、
（iii）−ＣＨ３、−Ｃ２Ｈ５またはＣ３〜Ｃ２５直鎖状、分枝状または環式の、アルカンまたはアルケン、
（iv）Ｏ、Ｎ、ＳｉおよびＳからなる群から選択される１〜３個のヘテロ原子を含む−ＣＨ３、−Ｃ２Ｈ５またはＣ３〜Ｃ２５直鎖状、分枝状または環式の、アルカンまたはアルケン、
（ｖ）Ｃ６〜Ｃ２０非置換アリール、またはＯ、Ｎ、ＳｉおよびＳからなる群から独立して選択される１〜３個のヘテロ原子を有するＣ３〜Ｃ２５非置換ヘテロアリール、および
（vi）Ｃ６〜Ｃ２５置換アリール、またはＯ、Ｎ、ＳｉおよびＳからなる群から独立して選択される１〜３個のヘテロ原子を有するＣ３〜Ｃ２５置換ヘテロアリール；
からなる群から独立して選択され、そして
ここで、該置換アリールまたは置換ヘテロアリールは：
（１）−ＣＨ３、−Ｃ２Ｈ５またはＣ３〜Ｃ２５直鎖状、分枝状または環式の、アルカンまたはアルケン、
（２）ＯＨ、
（３）ＮＨ２、および
（４）ＳＨ；
からなる群から独立して選択される１〜３個の置換基を有し；そして
式中、Ｒ７、Ｒ８およびＲ９は：
（ｉ）場合によりＣｌ、Ｂｒ、Ｆ、Ｉ、ＯＨ、ＮＨ２およびＳＨからなる群から選択される少なくとも１つの構成員で置換される−ＣＨ３、−Ｃ２Ｈ５またはＣ３〜Ｃ２５直鎖状、分枝状または環式の、アルカンまたはアルケン；
（ii）Ｏ、Ｎ、ＳｉおよびＳからなる群から選択される１〜３個のヘテロ原子を含む−ＣＨ３、−Ｃ２Ｈ５またはＣ３〜Ｃ２５直鎖状、分枝状または環式の、アルカンまたは
アルケン；
（iii）Ｃ６〜Ｃ２５非置換アリール、またはＯ、Ｎ、ＳｉおよびＳからなる群から独立して選択される１〜３個のヘテロ原子を有するＣ３〜Ｃ２５非置換ヘテロアリール；および
（iv）Ｃ６〜Ｃ２５置換アリール、またはＯ、Ｎ、ＳｉおよびＳからなる群から独立して選択される１〜３個のヘテロ原子を有するＣ３〜Ｃ２５置換ヘテロアリール；
からなる群から独立して選択され、
ここで、該置換アリールまたは置換ヘテロアリールは：
（１）−ＣＨ３、−Ｃ２Ｈ５またはＣ３〜Ｃ２５直鎖状、分枝状または環式の、アルカンまたはアルケン、
（２）ＯＨ、
（３）ＮＨ２、および
（４）ＳＨ
からなる群から独立して選択される１〜３個の置換基を有する］
のカチオンからなる群から選択される少なくとも１つのカチオンおよびこれらの混合物；上記イオン化合物：
を含む、組成物。
【請求項７】
臭素の塩；アルカリ金属、ホスフェト、クロレート、ブロメート、ヨーデート、フェロシアニド、クロリドの塩；クラウンエーテル、モノカルボン酸、ポリカルボン酸、二ホスホン酸、ポリリン酸、ホスフェート；およびこれらの組み合わせからなる群から選択される少なくとも１つの追加の化合物をさらに含む、請求項６に記載の組成物。
【請求項８】
水および臭化リチウムを含む冷媒流体における結晶化を制御する方法であって、請求項６にリストしたイオン化合物を冷媒流体に添加する工程を含む、上記方法。
【請求項９】
吸収器、ジェネレータ、コンデンサ、膨張装置、およびエバポレータを含んでなる吸収サイクル装置であって、コンデンサおよび吸収器が空冷式であり、作動流体が請求項６に記載の組成物を含む、上記装置。
【請求項１０】
吸収式冷凍機または吸収ヒートポンプを含んでなる、請求項９に記載の吸収サイクル装置。
【請求項１１】
ａ．臭化リチウム：
ｂ．水：および
ｃ．少なくとも１つのイオン化合物であって、
Ｎ，Ｎ−ジメチルエタノールアンモニウムプロパノエート；
ビス（２−メトキシエチル）アンモニウムアセテート；
グリコール酸コリン；
Ｎ，Ｎ−ジメチルエタノールアンモニウムアセテート；
１，２，４−トリメチルピラゾリウムメチルスルフェート；
トリス−（２−ヒドロキシエチル）−メチルアンモニウムメチルスルフェート；
テトラメチルアンモニウムホルメート；
１−ブチル−３−メチルイミダゾリウム１，１，２−トリフルオロ−２−（ペルフルオロエトキシ）エタンスルホネート；
テトラデシル（トリ−ｎ−ブチル）ホスホニウム１，１，２，３，３，３−ヘキサフルオロプロパンスルホネート；
１−ブチル−３−メチルイミダゾリウムレブリネート；
亜リン酸二水素１−ブチル−３−メチルイミダゾリウム；
１−ブチル−３−メチルイミダゾリウムメチルスルフェート；
１−ブチル−３−メチルイミダゾリウムアセテート；
コリンレブリネート；
１−ブチル−１−メチルピロリジニウムトリフルオロアセテート；
テトラメチルアンモニウムジクロロアセテート；
グリコール酸ナトリウム；
テトラブチルホスホニウムスクシナメート；
テトラデシル（トリ−ｎ−ブチル）ホスホニウム１，１，２，２−テトラフルオロエタンスルホネート；
コリン１，１，２，２−テトラフルオロエタンスルホネート；
リチウムアセテート；
テトラメチルアンモニウムピルベート；
Ｎ，Ｎ−ジメチルエタノールアンモニウムグリコレート；
１−エチル−３−メチルイミダゾリウムジヒドロゲンホスファイト；
１−エチル−３−メチルイミダゾリウムレブリネート；
１−エチル−３−メチルイミダゾリウムアセテート；
１−ブチル−３−メチルイミダゾリウムイソブチレート；
１−ブチル−３−メチルイミダゾリウムプロパノエート；
ヨウ化１，３−ジメチルイミダゾリウム；
１−ブチル−３−メチルイミダゾリウムトリフルオロアセテート；
１−エチル−３−メチルイミダゾリウムトリフルオロアセテート；
メチルトリオクチルアンモニウムトリフルオロアセテート；
ジエタノールアンモニウムトリフルオロアセテート；
１−エチル−３−メチルイミダゾリウムレブリネート；
１−エチル−３−メチルイミダゾリウムアセテート；
１−ブチル−３−メチルイミダゾリウムイソブチレート；
１−ブチル−３−メチルイミダゾリウムプロパノエート；
ヨウ化１，３−ジメチルイミダゾリウム；
１−ブチル−３−メチルイミダゾリウムトリフルオロアセテート；
１−エチル−３−メチルイミダゾリウムトリフルオロアセテート；
メチルトリオクチルアンモニウムトリフルオロアセテート；
ジエタノールアンモニウムトリフルオロアセテート；
１−エチル−３−メチルイミダゾリウム１，１，２，２−テトラフルオロエタンスルホネート；
１−ブチル−２，３−ジメチルイミダゾリウム１，１，２，２−テトラフルオロエタンスルホネート；
１−ブチル−３−メチルイミダゾリウム１，１，２，３，３，３−ヘキサフルオロプロパンスルホネート；
１−オクチル−３−メチルイミダゾリウム１，１，２，２−テトラフルオロエタンスルホネート；
１−ブチル−３−メチルイミダゾリウム１，１，２，２−テトラフルオロエタンスルホネート；
テトラ（ヒドロキシエチル）アンモニウム１，１，２，２−テトラフルオロエタンスルホネート；
テトラデシル（トリヘキシル）ホスホニウムノナフルオロブタンスルホネート；
１−（Ｎ，Ｎ，Ｎ−ジメチルプロピルアミノエチル）−５−メチルピロリジン−２−オンレブリネート；
１−ブチル−３−メチルイミダゾリウム１，１，２−トリフルオロ−２−（トリフルオロメトキシ）エタンスルホネート；
１，３−ジメチルイミダゾリウムレブリネート；
１−エチル−３−メチルイミダゾリウムレブリネート；
１，３−ジメチルイミダゾリウム１，１，２−トリフルオロ−２−（ペルフルオロエトキシ）エタンスルホネート；
テトラブチルホスホニウム１，１，２−トリフルオロ−２−（トリフルオロメトキシ）エタンスルホネート；
１−エチル−３−メチルイミダゾリウムアスコルベート；
テトラメチルアンモニウムトロポロネート；
トリメチルベンジルアンモニウムホスホノアセテート；
テトラメチルアンモニウムレブリネート；およびこれらの混合物；
からなる群から選択される少なくとも１種のイオン性化合物：
を含む組成物。
【請求項１２】
臭素の塩；アルカリ金属、ホスフェト、クロレート、ブロメート、ヨーデート、フェロシアニド、クロリドの塩；クラウンエーテル、モノカルボン酸、ポリカルボン酸、二ホスホン酸、ポリリン酸、ホスフェート；およびこれらの組み合わせからなる群から選択される少なくとも１つの追加の化合物をさらに含む、請求項１１に記載の組成物。
【請求項１３】
水および臭化リチウムを含む冷媒流体における結晶化を制御する方法であって、請求項１１にリストしたイオン化合物を冷媒流体に添加する工程を含む、上記方法。
【請求項１４】
吸収器、ジェネレータ、コンデンサ、膨張装置、およびエバポレータを含んでなる吸収サイクル装置であって、コンデンサおよび吸収器が空冷式であり、作動流体が請求項１１に記載の組成物を含む、上記装置。
【請求項１５】
吸収式冷凍機または吸収ヒートポンプを含んでなる、請求項１４に記載の吸収サイクル装置。